(57)【要約】【課題】横框と縦框の端面を突き合わせるように框組された障子を備える建具において、火災発生時の溶融によって接合面を有する框のコーナー部分が見込方向に貫通する事態の発生を加熱発泡材の発泡によって効果的に防止できる構成を提供すること。【解決手段】建具１は、上框３１の中空部３１ｂに配置される加熱発泡材９１１ａ及び加熱発泡材９１３ａと、戸先側縦框３４の中空部３４ｂに配置される加熱発泡材９１２ａと、吊元側縦框３３の中空部３３ｂに配置される加熱発泡材９１４ａ及び加熱発泡材９１６ａと、下框３２の中空部３２ｂに配置される加熱発泡材９１５ａ及び加熱発泡材９１７ａと、を備える。加熱発泡材９１１ａ〜９１７ａは、いずれも上框芯材３１０、下框芯材３２０、縦框芯材３３０，３４０の端面と接合面３００ａ〜３００ｄの間に位置し、中空部３１ｂ〜３４ｂ内部で見込方向を向く面を有する。【選択図】図７
2019085835.tif 000002
【特許請求の範囲】
【請求項１】
枠体及び前記枠体に開閉可能に取り付けられる障子を備える建具であって、
前記障子の外縁を構成し、樹脂製で中空部を有するとともに端面が傾斜する横框と、
前記障子の外縁を構成し、樹脂製で中空部を有し、前記横框に対応して傾斜する端面が前記横框の端面に突き合わされて接合される縦框と、
前記横框の長手方向に沿って前記中空部内に配置され、前記横框と前記縦框が突き合わされた接合面には達しない長さの横框芯材と、
前記縦框の長手方向に沿って前記中空部内に配置され、前記接合面には達しない長さの縦框芯材と、
前記縦框の前記中空部及び前記横框の前記中空部の少なくとも何れか一方に配置される加熱発泡材と、を備え、
前記加熱発泡材は、前記横框芯材の端面又は前記縦框芯材の端面と前記接合面の間に位置し、前記中空部の内部で見込方向を向く面を有する建具。
【請求項２】
前記加熱発泡材は、見込方向視で前記接合面に沿う部分を有する請求項１に記載の建具。
【請求項３】
前記加熱発泡材は、前記縦框の前記中空部及び前記横框の前記中空部の両方に配置され、
前記横框の前記中空部に配置された前記加熱発泡材と前記縦框の前記中空部に配置された前記加熱発泡材が前記接合面を挟んで対向する位置関係にある請求項１又は２に記載の建具。
【請求項４】
前記加熱発泡材は、前記縦框の中空部、前記横框の中空部又はその両方で、見込方向で対向するように室外側及び室内側のそれぞれに配置される請求項１から３の何れかに記載の建具。
【請求項５】
前記加熱発泡材は、見込方向視で前記接合面に沿う辺と前記横框芯材又は前記縦框芯材の端面に接触又は隣接する辺とを有する略三角形状である請求項１から４の何れかに記載の建具。
【発明の詳細な説明】
【技術分野】
【０００１】
本発明は、開閉可能な障子を備える建具に関する。
【背景技術】
【０００２】
従来、障子の框が樹脂製の建具において、火災発生時の溶融によって枠体と框の間に生じる隙間を埋めるため枠体や框に加熱発泡材を配置した構成が知られている。この種の建具に関するものとして特許文献１や特許文献２がある。
【０００３】
特許文献１には、上下の横枠と左右の縦枠とを方形状に枠組みしてなる枠体内に、上下の横框と左右の縦框を方形状に框組みしてなる框体を有する障子を納め、縦枠の内周面のうち、少なくとも縦框と対向しない部位に加熱発泡材を配置する建具が記載されている。
【０００４】
特許文献２には、加熱された場合に加熱膨張材を膨張させることにより、互いに対向する開口枠の見込み面と框体の見込み面との間の隙間を塞ぐようにした建具において、框体の見込み面に露出するようにキャップ部材、ヒンジ装置の上方羽根板、ラッチ装置の外装プレート部、錠装置の外装プレート部が取り付けられた部分には、該当部分に対向する開口枠の見込み面に加熱膨張材を配設したものが記載されている。
【先行技術文献】
【特許文献】
【０００５】
【特許文献１】特開２０１４−７７３０９号公報
【特許文献２】特開２０１６−５６５６０号公報
【発明の概要】
【発明が解決しようとする課題】
【０００６】
ところで、中空部に金属製の芯材を配置した樹脂製の横框及び縦框において、それぞれの小口面（端面）同士を突き合わせた状態で溶着等の接合処理を行って横框と縦框を接続することがある。この構成では、横框と縦框の接合時に、それぞれの中空部に配置される芯材が干渉しないように、各芯材の長さを小口面よりも手前側に設定する必要がある。従って、横框と縦框が接合される接合面を形成するコーナーには芯材がない構成となる。
【０００７】
火災発生時に樹脂製の横框と縦框が溶融することによって芯材がない接合面が崩れ、コーナー部分が見込方向で室内外に貫通するおそれがある。特許文献１や特許文献２では、いわゆる縦勝ち方式で框組みされたものを前提として框体の構成について記載されているが、何れにおいても、小口を突き合わせた形で框組みした建具の接合面の室内外の貫通を防止する点で改善の余地があった。
【０００８】
本発明は、横框と縦框の端面を突き合わせるように框組された障子を備える建具において、火災発生時の溶融によって接合面を有する框のコーナー部分が見込方向に貫通する事態の発生を加熱発泡材の発泡によって効果的に防止できる構成を提供することを目的とする。
【課題を解決するための手段】
【０００９】
本発明は、枠体（例えば、後述の枠体１０）及び前記枠体に開閉可能に取り付けられる障子（例えば、後述の障子２０）を備える建具（例えば、後述の建具１）であって、前記障子の外縁を構成し、樹脂製で中空部（例えば、後述の中空部３１ｂ，３２ｂ）を有するとともに端面が傾斜する横框（例えば、後述の上框３１、下框３２）と、前記障子の外縁を構成し、樹脂製で中空部（例えば、後述の中空部３３ｂ，３４ｂ）を有し、前記横框に対応して傾斜する端面が前記横框の端面に突き合わされて接合される縦框（例えば、後述の吊元側縦框３３、戸先側縦框３４）と、前記横框の長手方向に沿って前記中空部内に配置され、前記横框と前記縦框が突き合わされた接合面（例えば、後述の接合面３００ａ，３００ｂ，３００ｃ，３００ｄ）には達しない長さの横框芯材（例えば、後述の上框芯材３１０、下框芯材３２０）と、前記縦框の長手方向に沿って前記中空部内に配置され、前記接合面には達しない長さの縦框芯材（例えば、後述の縦框芯材３３０、縦框芯材３４０）と、前記縦框の前記中空部及び前記横框の前記中空部の少なくとも何れか一方に配置される加熱発泡材（例えば、後述の加熱発泡材９１１ａ〜９１７ａ及び加熱発泡材９１１ｂ〜９１７ｂ）と、を備え、前記加熱発泡材は、前記横框芯材の端面又は前記縦框芯材の端面と前記接合面の間に位置し、前記中空部の内部で見込方向を向く面を有する建具に関する。
【００１０】
前記加熱発泡材は、見込方向視で前記接合面に沿う部分（例えば、後述の斜辺９５１，９５５，９６１，９６５，９７１，９８１，９８５）を有することが好ましい。
【００１１】
前記加熱発泡材は、前記縦框の前記中空部及び前記横框の前記中空部の両方に配置され、前記横框の前記中空部に配置された前記加熱発泡材（例えば、後述の加熱発泡材９１１ａ，９１１ｂ，９１３ａ，９１３ｂ，９１７ａ，９１７ｂ）と前記縦框の前記中空部に配置された前記加熱発泡材（例えば、後述の加熱発泡材９１２ａ，９１２ｂ，９１４ａ，９１４ｂ，９１６ａ，９１６ｂ）が前記接合面を挟んで対向する位置関係にあることが好ましい。
【００１２】
前記加熱発泡材は、前記縦框の中空部、前記横框の中空部又はその両方で、見込方向で対向するように室外側及び室内側のそれぞれに配置されることが好ましい。
【００１３】
前記加熱発泡材は、見込方向視で前記接合面に沿う辺（例えば、後述の斜辺９５１，９５５，９６１，９６５，９７１，９８１，９８５）と前記横框芯材又は前記縦框芯材の端面に接触又は隣接する辺（例えば、後述の吊元側の端面９５２，下端面９５６，戸先側の端面９６２，下端面９６６，吊元側の端面９７２，上端面９８２，戸先側の端面９８６）とを有する略三角形状であることが好ましい。
【発明の効果】
【００１４】
本発明の建具によれば、火災発生時の溶融によって接合面を有する框のコーナー部分が見込方向に貫通する事態の発生を加熱発泡材の発泡によって効果的に防止できる。
【図面の簡単な説明】
【００１５】
【図１】本発明の一実施形態に係る建具を室外側から見た様子を示す図である。
【図２】本実施形態の建具の縦断面図である。
【図３】本実施形態の建具の横断面図である。
【図４】本実施形態の障子が開いた状態の建具を示す斜視図である。
【図５】本実施形態の建具が備える障子の上部を示す斜視図である。
【図６】本実施形態の上框の内部の構成を示す拡大縦断面図である。
【図７】本実施形態の戸先側縦框と上框の接合面及び吊元側縦框と上框の接合面の周囲の内部構成を見込方向視で示す縦断面図である。
【図８】本実施形態の戸先側縦框と上框が接合されるコーナー及びその周囲を示す拡大斜視図である。
【図９】本実施形態の戸先側縦框の内部の構成を示す斜視図である。
【図１０】本実施形態の戸先側縦框の内部に配置される縦框芯材及び裏板を示す分解斜視図である。
【図１１】本実施形態の戸先側縦框と下框の接合面及び吊元側縦框と下框の接合面の周囲の内部構成を見込方向視で示す縦断面図である。
【発明を実施するための形態】
【００１６】
以下、本発明の好ましい実施形態について、図面を参照しながら説明する。なお、本明細書において、「見付方向」とは、建物に形成された開口部に納められた建具の枠体に収められる障子の面内方向を意味し、「見込方向」とは、室内外方向（即ち、奥行き方向）を意味する。
【００１７】
図１は、本発明の一実施形態に係る建具１を室外側から見た様子を示す図である。図１に示す建具１は、建物開口部に固定される枠体１０と、枠体１０に複数のヒンジ１５を介して開閉可能に取り付けられる外開きの障子２０と、を備える防火仕様の勝手口ドアである。
【００１８】
まず、枠体１０の構成について説明する。枠体１０は、上枠１１、下枠１２、吊元側縦枠１３及び戸先側縦枠１４が矩形に枠組みされて構成される。上枠１１、下枠１２、吊元側縦枠１３及び戸先側縦枠１４は、何れも樹脂製であり、溶着によって接合される。これらの樹脂製の枠（上枠１１、下枠１２、吊元側縦枠１３及び戸先側縦枠１４）は、内部に中空部を有する押出し形材であり、後述する中空部が枠の押し出し方向に沿って連続している。
【００１９】
図２は、本実施形態の建具１の縦断面図である。上枠１１の内部は、複数の空間に区画されている。上枠１１内部の複数の空間のうち、見込方向に並ぶ空間を室外側から室内側の順に中空部１１ａ，１１ｂ，１１ｃとすると、見込方向中央に位置する中空部１１ｂに金属製の上枠芯材１１０が配置される。また、上枠１１の室内側下部には、下方に延びる延出部１１ｅが形成され、延出部１１ｅの室外側の見付面にはクッション材１１ｇを嵌合固定する嵌合部１１ｆが設けられる。
【００２０】
本実施形態の上枠芯材１１０は、断面形状が略Ｕ字状の長尺部材であり、Ｕ字の開口側が室内側を向くように中空部１１ｂに配置される。上枠芯材１１０の下面と中空部１１ｂの内壁の間には帯状の加熱発泡材９０ａが配置される。加熱発泡材９０ａは、火災等によって所定の温度に達すると発泡して隙間を塞ぐものである。
【００２１】
下枠１２の内部も、上枠１１と同様に複数の空間に区画されている。下枠１２内部で見込方向に並ぶ空間を室外側から室内側の順に中空部１２ａ，１２ｂ，１２ｃとすると、見込方向中央に位置する中空部１２ｂに金属製の下枠芯材１２０が配置される。本実施形態の下枠芯材１２０は、角筒状の長尺部材である。また、下枠１２の室内側上部には、上方に延びる延出部１２ｅが形成され、該延出部１２ｅにもクッション材１２ｇを嵌合固定する嵌合部１２ｆが形成される。
【００２２】
図３は、本実施形態の建具１の横断面図である。吊元側縦枠１３も、その内部が複数の空間に区画されている。吊元側縦枠１３内部の複数の空間のうち、見込方向に並ぶ空間を室外側から室内側の順に中空部１３ａ，１３ｂ，１３ｃとすると、見込方向中央に位置する中空部１３ｂに金属製の縦枠芯材１３０が配置される。吊元側縦枠１３の室内側には見付方向戸先側に延びる延出部１３ｅが形成され、該延出部１３ｅにクッション材１３ｇを嵌合固定する嵌合部１３ｆが設けられる。
【００２３】
本実施形態の縦枠芯材１３０は、断面形状が略Ｕ字状の長尺部材であり、Ｕ字の開口側が室内側を向くように中空部１３ｂに配置される。縦枠芯材１３０の戸先側の面と中空部１３ｂの内壁の間には帯状の加熱発泡材９０ｂが配置される。
【００２４】
また、枠体１０の吊元側縦枠１３と障子２０の吊元側縦框３３の間には、上下方向に間隔をあけて複数のヒンジ１５が配置される（図１参照）。中空部１３ａには、ヒンジ１５を固定するネジ１３ｉを締結する裏板部材１３ｈが配置される。本実施形態では、ヒンジ１５を締結するネジ１３ｉは、裏板部材１３ｈを貫通して中空部１３ｂの縦枠芯材１３０まで達しており、ヒンジ１５は縦枠芯材１３０にも締結固定される。
【００２５】
戸先側縦枠１４の内部も、複数の空間に区画されている。複数の空間のうち、見込方向で並ぶ空間を室外側から室内側の順に中空部１４ａ，１４ｂ，１４ｃとすると、見込方向中央に位置する中空部１４ｂに金属製の縦枠芯材１４０が配置される。本実施形態の縦枠芯材１４０は、断面形状が略Ｕ字状の長尺部材であり、Ｕ字の開口側が室内側を向くように中空部１４ｂに配置される。縦枠芯材１４０の吊元側の面と中空部１４ｂの内壁の間には帯状の加熱発泡材９０ｃが配置される。戸先側縦枠１４の室内側にも見付方向吊元側に延びる延出部１４ｅが形成され、該延出部１４ｅにクッション材１４ｇを嵌合固定する嵌合部１４ｆが設けられる。
【００２６】
また、戸先側縦枠１４の吊元側を向く見込面には、後述する障子２０のロックピン５２が嵌合するロックピン受け金具１６が固定される。ロックピン受け金具１６は、上下方向に間隔をあけて複数設けられる。本実施形態のロックピン受け金具１６は、締結部材としてのネジを介して縦枠芯材１４０に締結固定される。
【００２７】
枠体１０の左上及び右上には、枠側コーナー金具４６がそれぞれ配置される。枠側コーナー金具４６は、Ｌ字状の金属部材であり、枠体１０の外側に配置される。枠側コーナー金具４６は締結部材としてのネジによって枠体１０の内側の芯材に締結固定される。本実施形態では、枠体１０の戸先側上部では上枠芯材１１０と縦枠芯材１４０が枠側コーナー金具４６によって連結され、吊元側上部では上枠芯材１１０と縦枠芯材１３０が連結される。
【００２８】
次に、障子２０の構成について説明する。障子２０は、ガラス２５と、ガラス２５を囲うように構成される框体３０と、を含むように構成される戸体である。
【００２９】
ガラス２５は、室外側に配置される室外側ガラス２５ａと、室外側ガラス２５ａに対して隙間をあけて室内側に配置される室内側ガラス２５ｂと、を備える複層ガラスである。室外側ガラス２５ａと室内側ガラス２５ｂの間にはスペーサ２６等が配置される。本実施形態では、室外側ガラス２５ａは網入ガラスで構成され、室内側ガラスはＬｏｗ-Ｅ（Ｌｏｗ Ｅｍｉｓｓｉｖｉｔｙ）ガラスで構成される。
【００３０】
框体３０は、上框３１、下框３２、吊元側縦框３３及び戸先側縦框３４が矩形に枠組みされて構成される。上框３１、下框３２、吊元側縦框３３及び戸先側縦框３４は、何れも樹脂製であり、溶着によって接合される。これらの樹脂製の框（上框３１、下框３２、吊元側縦框３３及び戸先側縦框３４）は、内部に中空部を有する押出し形材であり、後述する中空部が框の押し出し方向に沿って連続している。
【００３１】
上框３１の内部は、複数の空間に区画されている。上框３１内部の複数の空間のうち、見込方向に並ぶ空間を室外側から室内側の順に中空部３１ａ，３１ｂ，３１ｃとすると、見込方向中央に位置する中空部３１ｂに金属製の上框芯材３１０が配置される。
【００３２】
本実施形態の上框芯材３１０は、断面形状が略Ｕ字状の長尺部材であり、Ｕ字の開口側が室内側を向くように中空部３１ｂに配置される。上框芯材３１０の下面と中空部３１ｂの内壁の間には帯状の加熱発泡材９０ｄが配置される。また、上框芯材３１０のＵ字の内側における室内側を向く面にも帯状の加熱発泡材９０ｅが配置される。
【００３３】
上框３１の室外側上部には、上枠１１の一部に見込方向で対面する延出部３１ｆが形成される。この延出部３１ｆの上枠１１に対面する側には、クッション材３１ｇを嵌合固定する嵌合部３１ｈが設けられる。延出部３１ｆの内側に形成される中空部３１ｉには金属（例えば、スチール）製の室外側芯材３１２が配置される。
【００３４】
本実施形態の室外側芯材３１２は、断面形状が略Ｕ字状の長尺部材であり、Ｕ字の開口側が室外側を向くように中空部３１ｉに配置される。また、室外側芯材３１２の室内側の面と中空部３１ｉの内壁の間には帯状の加熱発泡材９０ｆが配置される。
【００３５】
また、上框３１の外側面には、上框３１の長手方向に沿って延びる嵌合溝３１ｊが形成される。嵌合溝３１ｊには、金属（例えば、アルミニウム材）製の台座部３１５が嵌合固定される。上框３１の嵌合溝３１ｊの室内側に位置する中空部３１ｋには室内側芯材３１３が配置される。上框３１の室外側下部には押し縁部材３６を嵌合する嵌合部３１ｍが設けられ、上框３１の室内側下部にはガラス止め部材３７を嵌合する嵌合部３１ｎが設けられる。
【００３６】
下框３２、吊元側縦框３３及び戸先側縦框３４の基本的構成は上框３１と同様である。以下の説明において上框３１と同様の構成については共通の規則性（アルファベット）で符号を付してその説明を省略する場合がある。
【００３７】
下框３２は、見込方向に並ぶ複数の中空部３２ａ，３２ｂ，３２ｃのうち、見込方向中央に位置する中空部３２ｂに下框芯材３２０が配置される。下框芯材３２０は金属によって筒状に成形される。下框３２の室外側下部には延出部３２ｆが形成され、該延出部３２ｆの室内側にはクッション材３２ｇを嵌合固定する嵌合部３２ｈが設けられる。延出部３２ｆの上方には樹脂製の押し縁部材３６用の嵌合部３２ｍが設けられる。下框３２の室内側上部にはガラス止め部材３７用の嵌合部３２ｎが設けられる。
【００３８】
下框３２の下面に形成される嵌合溝３２ｊには、樹脂製の下がり止め部材３８が配置される。樹脂製の下がり止め部材３８は、通常使用時の障子２０の下がりを防止するためのものであり、その下部が室内側から室外側に向かうにつれて下側に近づくように傾斜した形状で成形される。また、火災発生時の障子２０の下がりを防止するため、下框３２には樹脂製の下がり止め部材３８とは別部材として金属製の下がり止め部材３９が設けられる。
【００３９】
吊元側縦框３３は、見込方向に並ぶ複数の中空部３３ａ，３３ｂ，３３ｃのうち、見込方向中央に位置する中空部３３ｂに縦框芯材３３０が配置される。本実施形態の縦框芯材３３０は、断面形状が略Ｕ字状の長尺部材であり、Ｕ字の開口側が室内側を向くように中空部３３ｂに配置される。縦框芯材３３０の吊元側縦枠１３側の面と中空部３３ｂの内壁の間には帯状の加熱発泡材９０ｇが配置される。また、縦框芯材３３０のＵ字の内側における室内側を向く面にも帯状の加熱発泡材９０ｈが配置される。
【００４０】
吊元側縦框３３には吊元側縦枠１３側に延出する延出部３３ｆが形成される。延出部３３ｆの室内側にはクッション材３３ｇを嵌合固定する嵌合部３３ｈが設けられる。また、延出部３３ｆの内側には中空部３３ｉが形成される。吊元側縦框３３の吊元側の面に形成される嵌合溝３３ｊには、台座部３１５が嵌合固定される。また、吊元側縦框３３における台座部３１５の室内側に位置する中空部３３ｋには金属（例えば、スチール）製の室内側芯材３１３が配置される。吊元側縦框３３の室外側の戸先側には押し縁部材３６用の嵌合部３３ｍが設けられ、室内側の戸先側にはガラス止め部材３７用の嵌合部３３ｎが設けられる。
【００４１】
戸先側縦框３４は、見込方向に並ぶ複数の中空部３４ａ，３４ｂ，３４ｃのうち、見込方向中央に位置する中空部３４ｂに縦框芯材３４０が配置される。本実施形態の縦框芯材３４０は、断面形状が略Ｕ字状の長尺部材であり、Ｕ字の開口側が戸先側縦枠１４の見込面を向くように中空部３４ｂに配置される。縦框芯材３４０のＵ字の内側における戸先側縦枠１４側を向く面には帯状の加熱発泡材９０ｉが配置される。
【００４２】
戸先側縦框３４には戸先側縦枠１４側に延出する延出部３４ｆが形成される。延出部３４ｆの室内側にはクッション材３４ｇを嵌合固定する嵌合部３４ｈが設けられる。延出部３４ｆの内側に形成される中空部３４ｉには室外側芯材３１２が配置される。また、室外側芯材３１２の室内側の面と中空部３４ｉの内壁の間には帯状の加熱発泡材９０ｊが配置される。戸先側縦框３４の室外側の吊元側には押し縁部材３６用の嵌合部３４ｍが設けられ、室外側の吊元側にはガラス止め部材３７用の嵌合部３４ｎが設けられる。
【００４３】
戸先側縦框３４の戸先側面に形成される嵌合溝３４ｊにはスライドプレート５１が嵌合される。スライドプレート５１は、室外側ハンドル５５及び室内側ハンドル５６の操作に連動して戸先側縦框３４の長手方向（上下方向）に移動可能に構成される。スライドプレート５１の戸先側の見込面にはロックピン５２が形成されており、ロックピン５２が戸先側縦枠１４に固定されるロックピン受け金具１６に係合することで、障子２０が閉鎖位置で固定される。
【００４４】
框体３０の内側（ガラス２５側）の見込面にはガラス外れ止め部材４０及び加熱発泡材９１が配置される。ガラス外れ止め部材４０は、框体３０を構成する上框３１、下框３２、吊元側縦框３３及び戸先側縦框３４の見込面のそれぞれに複数配置され、室外側へのガラス２５の外れを防止する金属製部材である。
【００４５】
本実施形態のガラス外れ止め部材４０は、締結部材としてのネジによって框体３０の内側の芯材（上框芯材３１０、下框芯材３２０、縦框芯材３３０及び縦框芯材３４０）に締結固定される。加熱発泡材９１は、帯状の部材であり、ガラス２５の４周を囲うように上框３１、下框３２、吊元側縦框３３及び戸先側縦框３４のそれぞれに配置される。
【００４６】
また、框体３０の内側のコーナー（内隅）には框側コーナー金具６５がそれぞれ配置される。框側コーナー金具６５は、締結部材としてのネジによって框体３０の内側の芯材（上框芯材３１０、下框芯材３２０、縦框芯材３３０及び縦框芯材３４０）に締結固定される。より具体的には、框体３０の戸先側上部では、上框芯材３１０と縦框芯材３４０が框側コーナー金具６５によって連結され、吊元側上部では、上框芯材３１０と縦框芯材３３０が框側コーナー金具６５によって連結される。框体３０の戸先側下部では、下框芯材３２０と縦框芯材３４０が框側コーナー金具６５によって連結され、吊元側下部では、下框芯材３２０と縦框芯材３３０が框側コーナー金具６５によって連結される。
【００４７】
また、枠体１０に開閉可能に吊り込まれる障子２０は、上枠１１と上框３１を接続するアーム部材６１によって所定以上開かないように開閉範囲が規制される。
【００４８】
次に、障子２０の外側の構成について説明する。図４は、本実施形態の障子２０が開いた状態の建具１を示す斜視図である。図４に示すように、障子２０の戸先側に配置されるスライドプレート５１には、ロックピン５２の他、シリンダ錠６０のデッドボルト６０３を突出させるための開口部６０４や戸先側縦框３４の反りを防止するための反り防止金具９５等が配置される。これに対して戸先側縦枠１４にはスライドプレート５１に対応する構成として、上から順に、上側のロックピン５２が係合するロックピン受け金具１６、上側のデッドボルト６０３が挿入されるシリンダ錠固定金具１７、反り防止金具９５が係合する反り防止受け金具９６、下側のデッドボルト６０３が挿入されるシリンダ錠固定金具１７、下側のロックピン５２が係合するロックピン受け金具１６が配置される。
【００４９】
図５は、本実施形態の障子２０の上部を示す斜視図である。図６は、本実施形態の上框３１の内部の構成を示す拡大縦断面図である。図５及び図６に示すように、障子２０の上部には芯材連結金具７０が左右方向に２箇所配置される。
【００５０】
芯材連結金具７０は、水平方向に沿う第１面７０ａと上下方向に沿う第２面７０ｂを有する断面Ｌ字状の金属（例えば、スチール）製のプレート部材である。芯材連結金具７０は、台座部３１５の両端のそれぞれに計２個配置されている。本実施形態の台座部３１５は、その長手方向が上框３１の嵌合溝３１ｊの長手方向の全長より短い長さで構成されている。従って、台座部３１５の両端に配置される芯材連結金具７０は、上框３１の嵌合溝３１ｊの両側よりもやや中央側に位置する。そして、芯材連結金具７０は、その第１面７０ａが上框３１の嵌合溝３１ｊを跨って台座部３１５の上面に対面するとともに、第２面７０ｂが延出部３１ｆの室内側の面に対面した状態で上框３１に固定される。
【００５１】
芯材連結金具７０の第１面７０ａは、締結部材としてのネジ７０１，７０２によって見込方向で間隔をあけて２箇所締結される。第１面７０ａの室内側に締結されるネジ７０１は、上框３１の外側から中空部３１ｋに配置される室内側芯材３１３に締結される。ネジ７０１よりも室外側で締結されるネジ７０２は、台座部３１５を貫通した状態で中空部３１ｂに配置される上框芯材３１０に締結される。
【００５２】
芯材連結金具７０の第２面７０ｂは、締結部材としてのネジ７０３によって上框３１の外側から中空部３１ｉの室外側芯材３１２に締結される。本実施形態では、芯材連結金具７０の第２面７０ｂを上框３１に固定するためのネジ７０３の締結方向は見込方向（水平方向）になっており、第１面７０ａを上框３１に固定するためのネジ７０１，７０２の締結方向は上下方向となっている。
【００５３】
図７は、本実施形態の戸先側縦框３４と上框３１の接合面３００ａ及び吊元側縦框３３と上框３１の接合面３００ｂの周囲の内部構成を見込方向視で示す縦断面図である。上框３１の左右両側の小口面（端面）は、何れも、図７の見込方向視で上から下に進むに従って左右方向の中央に近づくように傾斜する形状となっている。戸先側縦框３４及び吊元側縦框５３のそれぞれの小口面も、上框３１の小口面と同様に傾斜している。戸先側縦框３４と上框３１の接合面３００ａと吊元側縦框３３と上框３１の接合面３００ｂは、逆側に傾斜する関係にあり、上下方向を中心とした線対称な形状となっている。戸先側縦框３４と上框３１のそれぞれの小口面が溶着により接合されることで、戸先側縦框３４と上框３１の内部空間が連通する。同様に、吊元側縦框３３と上框３１のそれぞれの小口面が溶着により接合されることで吊元側縦框３３と上框３１の内部空間が連通する。
【００５４】
上框芯材３１０及び縦框芯材３３０，３４０の何れにおいても、上框３１、吊元側縦框３３及び戸先側縦框３４のそれぞれの小口面から突出しないように内側に納まる寸法で構成される。このように、上框芯材３１０及び縦框芯材３３０，３４０が接合面３００ａ，３００ｂに達しないように溶着代が設定されることにより、上框３１、吊元側縦框３３及び戸先側縦框３４の小口面を溶着する溶着作業において、上框芯材３１０及び縦框芯材３３０，３４０が障害物となって溶着作業を阻害する事態の発生を防止している。
【００５５】
上框３１と戸先側縦框３４によって構成される戸先側上部のコーナーの外隅には接合面３００ａを跨ぐようにコーナー加熱発泡材９２が配置され、上框３１と吊元側縦框３３によって構成される吊元側上部のコーナーの外隅には接合面３００ｂを跨ぐようにコーナー加熱発泡材９３が配置される。
【００５６】
戸先側上部に配置されるコーナー加熱発泡材９２は、上框３１の嵌合溝３１ｊから戸先側縦框３４の嵌合溝３４ｊに跨るように配置されている。コーナー加熱発泡材９２における上框３１の嵌合溝３１ｊに納まる上側発泡部９２ａは、締結部材としてのネジ９２０によって上框３１に機械的に固定され、戸先側縦框３４の嵌合溝３４ｊに納まる戸先側発泡部９２ｂは、ネジ９２１によって戸先側縦框３４に機械的に固定される。
【００５７】
本実施形態では、コーナー加熱発泡材９２は、嵌合溝３１ｊ，３４ｊに直接配置される第１加熱発泡材９２２と、第１加熱発泡材９２２に重ねて配置される第２加熱発泡材９２３と、の２枚重ねとなっている。ネジ９２０は第１加熱発泡材９２２及び第２加熱発泡材９２３を貫通した上で上框３１に締結される。ネジ９２１は、第１加熱発泡材９２２及び第２加熱発泡材９２３を貫通した上で戸先側縦框３４に締結される。
【００５８】
また、戸先側上部に配置されるコーナー加熱発泡材９２の室外側には室外側補強プレート４７が配置され、室内側には室内側補強プレート４８が配置される。
【００５９】
室外側補強プレート４７は、板状部材をＬ字状に切り取った金属部材であり、見付面に沿うように配置される。室外側補強プレート４７は、延出部３１ｆ，３４ｆの室内側で上框３１と戸先側縦框３４の接合面３００ａに跨っている。室外側補強プレート４７の上框３１に沿う部分が上框３１の中空部３１ｉの室外側芯材３１２にネジ４７１によって締結固定されるとともに、室外側補強プレート４７の戸先側縦框３４に沿う部分が戸先側縦框３４の中空部３４ｉの室外側芯材３１２に別のネジ４７１によって締結固定される。
【００６０】
室内側補強プレート４８は、コーナーに沿うように折り曲げられた断面Ｌ字状の金属部材であり、上框３１と戸先側縦框３４の接合面を延出部３１ｆ，３４ｆの見込面側で跨るように配置される。室内側補強プレート４８の上框３１に沿う部分が上框３１にネジ４８１によって締結固定されるとともに、戸先側縦框３４の見込面に沿う部分が戸先側縦框３４に別のネジ４８１によって締結固定される。
【００６１】
吊元側上部に配置されるコーナー加熱発泡材９３は、上框３１の嵌合溝３１ｊから吊元側縦框３３の嵌合溝３３ｊに跨るように配置されている。コーナー加熱発泡材９２における上框３１の嵌合溝３１ｊに納まる上側発泡部９３ａが締結部材としてのネジ９３０によって機械的に固定され、吊元側縦框３３の嵌合溝３３ｊに納まる吊元側発泡部９３ｂも同様にネジ９３１によって機械的に固定される。
【００６２】
本実施形態では、コーナー加熱発泡材９３は、嵌合溝３１ｊ，３３ｊに直接配置される第１加熱発泡材９３２と、第１加熱発泡材９３２に重ねて配置される第２加熱発泡材９３３と、の２枚重ねとなっている。ネジ９３０は第１加熱発泡材９３２及び第２加熱発泡材９３３を貫通した上で上框３１に締結される。ネジ９３１は、第１加熱発泡材９３２及び第２加熱発泡材９３３を貫通した上で吊元側縦框３３に締結される。
【００６３】
コーナー加熱発泡材９２は、そのネジ９２０の締結箇所が上框芯材３１０の戸先側の端面よりも戸先側となっており、ネジ９２１の締結箇所が縦框芯材３４０の上端面よりも上側になっている。同様に、コーナー加熱発泡材９３も、ネジ９３０の締結箇所が上框芯材３１０の吊元側の端面よりも吊元側となっており、ネジ９３１の締結箇所が縦框芯材３３０の上端面よりも上側になっている。即ち、ネジ９２０、９２１、９３０、９３１の締結箇所は、いずれも上框芯材３１０、縦框芯材３３０及び縦框芯材３４０に干渉しない位置に設定されている。
【００６４】
また、障子２０の構成の関係から、コーナー加熱発泡材９２の嵌合溝３４ｊに納まる戸先側発泡部９２ｂの上下方向の長さが、コーナー加熱発泡材９３の嵌合溝３４ｊに納まる吊元側発泡部９３ｂの上下方向の長さよりも長くなっている。より具体的には、コーナー加熱発泡材９２の嵌合溝３４ｊに納まる戸先側発泡部９２ｂは、その下端の位置が縦框芯材３４０の上端面よりも下側になっている。この場合においてもコーナー加熱発泡材９２のネジ９２１は縦框芯材３４０に干渉しないように、縦框芯材３４０の上端面よりも上で締結される。一方、吊元側縦框３３の嵌合溝３３ｊに台座部３１５が嵌合されている関係からコーナー加熱発泡材９３の嵌合溝３３ｊに納まる吊元側発泡部９３ｂは、その下端の位置が縦框芯材３３０の上端面よりも上側になっており、ネジ９３１の締結箇所もネジ９２１よりも上側になっている。
【００６５】
図８は、本実施形態の戸先側縦框３４と上框３１が接合されるコーナー及びその周囲を示す拡大斜視図である。図８に示すように、戸先側縦框３４内部の接合面３００ａの近傍には三角形状の加熱発泡材９１１ａ及び加熱発泡材９１１ｂが２枚配置される。また、上框３１内部の接合面３００ａの近傍にも、三角形状の加熱発泡材９１２ａ及び加熱発泡材９１２ｂが２枚配置される。
【００６６】
加熱発泡材９１１ａは、中空部３４ｂの見込方向室外側の内壁に接着材や両面テープ等によって固定されている。加熱発泡材９１１ｂは、中空部３４ｂの見込方向室内側の内壁に接着材や両面テープ等によって固定されている。加熱発泡材９１１ａ及び加熱発泡材９１１ｂは、その面部分（発泡面）が見込方向で対向する位置関係である。
【００６７】
加熱発泡材９１１ａ，９１１ｂは、見込方向視で上框芯材３１０の端面と接合面３００ａの間に位置する。加熱発泡材９１１ａ及び加熱発泡材９１１ｂは、何れも略直角三角形の形状であり、直角三角形の斜辺に相当する部分（以下、斜辺９５１と称する）が接合面３００ａの傾斜に沿うように配置されている。加熱発泡材９１１ａ及び加熱発泡材９１１ｂの斜辺９５１と接合面３００ａは、溶着作業を行うための溶着代を考慮して間を空けて配置されている（図７参照）。また、加熱発泡材９１１ａ及び加熱発泡材９１１ｂは、その吊元側の端面９５２が上框芯材３１０の戸先側の端面に接触又は近接する位置関係となっている。
【００６８】
加熱発泡材９１２ａは、中空部３１ｂの見込方向室外側の内壁に接着材や両面テープ等によって固定されている。加熱発泡材９１２ｂは、中空部３４ｂの見込方向室内側の内壁に接着材や両面テープ等によって固定されている。加熱発泡材９１２ａ及び加熱発泡材９１２ｂも、その面部分（発泡面）が見込方向で対向する位置関係である。
【００６９】
加熱発泡材９１２ａ，９１２ｂは、見込方向視で縦框芯材３４０の端面と接合面３００ａの間に位置する。加熱発泡材９１２ａ及び加熱発泡材９１２ｂも、何れも略直角三角形の形状であり、直角三角形の斜辺に相当する部分（以下、斜辺９５５と称する）が接合面３００ａの傾斜に沿うように配置されている。加熱発泡材９１２ａ及び加熱発泡材９１２ｂの斜辺９５５と接合面３００ａは、溶着作業を行うための溶着代を考慮して間を空けて配置されている（図７参照）。また、加熱発泡材９１２ａ及び加熱発泡材９１２ｂは、その下端面９５６が縦框芯材３４０の上端面に接触又は近接する位置関係となっている。
【００７０】
加熱発泡材９１１ａと加熱発泡材９１２ａは、直角三角形の斜辺９５１，９５５に相当する部分が接合面３００ａを挟んで互いに対向する位置関係となっている。同様に、加熱発泡材９１１ｂと加熱発泡材９１２ｂも直角三角形の斜辺に相当する部分が接合面３００ａを挟んで互いに対向する位置関係となっている。
【００７１】
上框３１と吊元側縦框３３の接合面３００ｂの近傍にも、三角形状の加熱発泡材９１３ａ，９１３ｂ及び加熱発泡材９１４ａ，９１４ｂが配置される（図１及び図７参照）。加熱発泡材９１３ａ，９１３ｂ及び加熱発泡材９１４ａ，９１４ｂは、加熱発泡材９１１ａ及び加熱発泡材９１１ｂや加熱発泡材９１２ａ及び加熱発泡材９１２ｂと同様の方法及び位置関係で見込方向に間隔をあけて配置される。
【００７２】
加熱発泡材９１３ａ，９１３ｂは、見込方向視で上框芯材３１０の端面と接合面３００ｂの間に位置する。加熱発泡材９１３ａが上框３１の中空部３１ｂの室外側の内壁における接合面３００ａ近傍で接着固定され、加熱発泡材９１３ｂが吊元側縦框３３の中空部３３ｂの室内側の内壁における接合面３００ｂの近傍で接着固定される。
【００７３】
加熱発泡材９１４ａ，９１４ｂは、見込方向視で縦框芯材３３０の端面と接合面３００ｂの間に位置する。加熱発泡材９１４ａが上框３１の中空部３１ｂの室外側の内壁における接合面３００ｂ近傍に接着固定され、加熱発泡材９１４ｂが吊元側縦框３３の中空部３３ｂにおける接合面３００ｂの近傍で室内側の内壁における接合面３００ｂの近傍に接着固定される。加熱発泡材９１３ａと加熱発泡材９１３ｂは、その面部分が見込方向で互いに対向しており、加熱発泡材９１４ａと加熱発泡材９１４ｂも、その面部分が見込方向で互いに対向している。
【００７４】
加熱発泡材９１３ａ，９１３ｂと加熱発泡材９１４ａ，９１４ｂは、何れも接合面３００ｂを挟んで直角三角形の斜辺が対向する位置関係となっている。加熱発泡材９１３ａは、その斜辺に相当する部分（以下、斜辺９６１と称する）が接合面３００ｂから溶着代を考慮して離れるように配置される。同様に、加熱発泡材９１４ａも、斜辺９６５が接合面３００ｂから離れて配置される。
【００７５】
加熱発泡材９１３ａ，９１３ｂは、その戸先側の端面９６２が上框芯材３１０の吊元側の端面に接触又は近接する位置関係となっており、加熱発泡材９１４ａ，９１４ｂもその下端面９６６が縦框芯材３３０の上端面に接触又は近接する位置関係となっている。
【００７６】
次に、障子２０の戸先側の構成について説明する。図９は、本実施形態の戸先側縦框３４の内部の構成を示す斜視図である。図９では、戸先側縦框３４が鎖線によって示されている。図１０は、本実施形態の戸先側縦框３４の内部に配置される縦框芯材３４０及び裏板８６〜８９の形状を示す分解斜視図である。図９は、本実施形態の戸先側縦框３４の内部の構成を示す横断面図である。なお、縦框芯材３４０の各部において、見込方向室外側に位置する面を室外側面３４０ａ、見込方向室内側に位置する面を室内側面３４０ｂ、室外側面３４０ａと室内側面３４０ｂを吊元側で接続する面を接続面３４０ｃ、として以下説明する。
【００７７】
図９に示すように、戸先側縦框３４の戸先面には、室外側ハンドル５５及び室内側ハンドル５６の操作に連動してスライドプレート５１を上下させるハンドル機構５７の一部やシリンダ錠６０の一部等、ドアの機能部品が埋設される。戸先側縦框３４の戸先面には、各機能部品の取付位置に中空部３４ｂに連通する取付孔（図示省略）が形成されており、これらの取付孔に機能部品が挿入される。
【００７８】
ハンドル機構５７は、室外側ハンドル５５及び室内側ハンドル５６に連動する機構が内蔵される本体ケース５７１と、本体ケース５７１の戸先側の上側に配置される取付片５７２ａと、下側に取り付けられる取付片５７２ｂと、を含んで構成される。本体ケース５７１は、戸先側縦框３４に埋設された状態で、縦框芯材３４０の室外側面３４０ａ、室内側面３４０ｂ及び接続面３４０ｃに囲まれるＵ字の内側に相当する部分に位置する。取付片５７２ａ，５７２ｂは、何れも、本体ケース５７１から縦框芯材３４０の見込面に沿って上下方向に延びるように形成されており、戸先側縦框３４に埋設された状態で戸先側縦框３４の戸先面に対向する面を有する。
【００７９】
シリンダ錠６０は、デッドボルト６０３等の鍵操作に連動する機構が内蔵される本体ケース６０１と、本体ケース６０１の戸先側の上側に配置される取付片６０２ａと、下側に取り付けられる取付片６０２ｂと、を含んで構成される。本体ケース６０１は、戸先側縦框３４に埋設された状態で、縦框芯材３４０の室外側面３４０ａ、室内側面３４０ｂ及び接続面３４０ｃに囲まれるＵ字の内側に相当する部分に位置する。取付片６０２ａ，６０２ｂは、何れも、本体ケース６０１から上下方向に延びるように形成されており、戸先側縦框３４に埋設された状態で戸先側縦框３４の戸先面に対向する面を有する。
【００８０】
取付片５７２ａ，５７２ｂ及び取付片６０２ａ，６０２ｂに締結部材としてのネジ６１０が締結されることにより、本体ケース５７１，６０１が戸先側縦框３４に固定される。本実施形態では、戸先側縦框３４の中空部３４ｂには裏板８６〜８９が配置されており、ネジ６１０は戸先側縦框３４を貫通した状態で裏板８６〜８９に締結される。
【００８１】
図１０に示すように、裏板８６〜８９は、何れも、縦框芯材３４０の内側で見付方向戸先側に位置する第１面８６ａ〜８９ａと、見込方向室外側に位置する第２面８６ｂ〜８９ｂと、を有する断面Ｌ字状の金属（例えば、アルミニウム）製の部材である。本実施形態では、戸先側縦框３４の中空部３４ｂに、上から順に、裏板８６、上側のシリンダ錠６０の本体ケース６０１、裏板８７、ハンドル機構５７の本体ケース５７１、裏板８８、下側のシリンダ錠６０の本体ケース６０１、裏板８９が並んでいる。
【００８２】
裏板８６は、その第２面８６ｂが縦框芯材３４０の室外側面３４０ａにリベット６１１によって締結固定される。その他の裏板８７〜８９についても同様に、リベット６１１によって第２面８７ｂ〜８９ｂが縦框芯材３４０の室外側面３４０ａに締結固定される。リベット６１１によって縦框芯材３４０と裏板８７〜８９は一体的な構成となる。
【００８３】
上下のシリンダ錠６０及びハンドル機構５７は、裏板８６〜８９が固定された縦框芯材３４０が戸先側縦框３４の中空部３４ｂに挿入された状態で、それぞれの取付孔（図示省略）から戸先側縦框３４の内側に挿入される。上側のシリンダ錠６０は、その取付片６０２ａに締結されるネジ６１０が戸先側縦框３４を貫通して裏板８６の第１面８６ａの下端部に締結されるとともに、取付片６０２ｂに締結されるネジ６１０が戸先側縦框３４を貫通して裏板８７の第１面８７ａの上端部に締結される。
【００８４】
ハンドル機構５７は、その取付片５７２ａに締結されるネジ６１０が戸先側縦框３４を貫通して裏板８７の第１面８７ａの下端部に締結されるとともに、取付片５７２ｂに締結されるネジ６１０が戸先側縦框３４を貫通して裏板８８の第１面８８ａの上端部に締結される。下側のシリンダ錠６０は、その取付片６０２ａに締結されるネジ６１０が戸先側縦框３４を貫通して裏板８８の第１面８８ａの下端部に締結されるとともに、取付片６０２ｂに締結されるネジ６１０が戸先側縦框３４を貫通して裏板８９の第１面８９ａの上端部に締結される。
【００８５】
図１１は、本実施形態の戸先側縦框３４と下框３２の接合面３００ｃ及び吊元側縦框３３と下框３２の接合面３００ｄの周囲の内部構成を見込方向視で示す縦断面図である。下框３２の左右両側の小口面（端面）は、何れも、図１１の見込方向視で下から上に進むに従って左右方向の中央に近づくように傾斜する形状となっている。戸先側縦框３４及び吊元側のそれぞれの小口面も、下框３２の小口面と同様に傾斜している。戸先側縦框３４と下框３２の接合面３００ｃと吊元側縦框３３と下框３２の接合面３００ｄは、逆側に傾斜する関係にあり、上下方向を中心とした線対称な形状となっている。戸先側縦框３４と下框３２のそれぞれの小口面が溶着により接合されることで、戸先側縦框３４と下框３２の内部空間が連通する。同様に、吊元側縦框３３と下框３２のそれぞれの小口面が溶着により接合されることで吊元側縦框３３と下框３２の内部空間が連通する。
【００８６】
下框芯材３２０においても、接合面３００ａ，３００ｂに達しないように溶着代が設定されており、下框芯材３２０が小口面から突出しないように内側に納まる寸法で構成されている。
【００８７】
裏板８９は、縦框芯材３４０よりも下側に延び出ている（図９参照）。裏板８６〜８８は、その上下の端面が水平面に沿う形状となっているのに対し、裏板８９の下端面８９ｃは、戸先側に向かうに従って下側に向かうように傾斜する形状となっている。裏板８９の下端面８９ｃが、下框３２と戸先側縦框３４との接合面３００ｃに沿うように傾斜していることにより、第１面８９ａの縦框芯材３４０よりも下側に延出する長さを大きく確保しつつ、下框３２の中空部３２ｂに入り込まない形状となっている。これによって、裏板８９が障害となることなく戸先側縦框３４と下框３２の端面の溶着作業を行うことができる。
【００８８】
戸先側縦框３４の戸先面下部にも加熱発泡材９０１が配置される。加熱発泡材９０１は、嵌合溝３４ｊに直接配置される第１加熱発泡材９４１と、第１加熱発泡材９４１に重ねて配置される第２加熱発泡材９４２と、の２枚重ねとなっている。ネジ９４３は第１加熱発泡材９４１及び第２加熱発泡材９４２を貫通した上で戸先側縦框３４に締結される。本実施形態では、ネジ９４３の先端は縦框芯材３４０との干渉を避けつつ戸先側縦框３４の内側で裏板８９の第１面８９ａに締結される。
【００８９】
吊元側縦框３３の吊元面下部にも加熱発泡材９０２が配置される。加熱発泡材９０２は、嵌合溝３３ｊに直接配置される第１加熱発泡材９４５と、第１加熱発泡材９４５に重ねて配置される第２加熱発泡材９４６と、の２枚重ねとなっている。ネジ９５３は第１加熱発泡材９４５及び第２加熱発泡材９４６を貫通した上で吊元側縦框３３に締結される。ネジ９５３の先端は吊元側縦框３３では裏板等に締結されることなく、締結箇所が縦框芯材３３０に干渉しない位置になっている。
【００９０】
次に、接合面３００ｃの近傍に配置される三角形状の加熱発泡材９１５ａ，９１５ｂについて説明する。加熱発泡材９１５ａは、下框３２の中空部３２ｂの見込方向室外側の内壁に接着材や両面テープ等によって固定されている。加熱発泡材９１５ｂは、中空部３２ｂの見込方向室内側の内壁に接着材や両面テープ等によって固定されている。加熱発泡材９１５ａ，９１５ｂは、その面部分（発泡面）が見込方向で対向する位置関係である。
【００９１】
加熱発泡材９１５ａ，９１５ｂは、見込方向視で下框芯材３２０の端面と接合面３００ｃの間に位置する。加熱発泡材９１５ａ，９１５ｂは、直角三角形の斜辺に相当する部分（以下、斜辺９７１と称する）が接合面３００ｃに溶着代を考慮して間隔をあけて配置されている。また、加熱発泡材９１５ａ，９１５ｂは、何れも吊元側の端面９７２が下框芯材３２０の戸先側の端面に接触又は近接する位置関係となっている。なお、本実施形態では、戸先側縦框３４の中空部３４ｂには、加熱発泡材９１５ａ，９１５ｂの斜辺９７１に対向する加熱発泡材は配置されておらず、接合面３００ｃの近傍には裏板８９が位置している。
【００９２】
接合面３００ｄの近傍に配置される三角形状の加熱発泡材９１６ａ，９１６ｂ及び加熱発泡材９１７ａ，９１７ｂも溶着代を考慮して接合面３００ｄを挟んで対向配置される。加熱発泡材９１６ａ，９１６ｂ及び加熱発泡材９１７ａ，９１７ｂの配置の方法及び位置関係についても、これまで説明した加熱発泡材９１３ａ，９１３ｂ及び加熱発泡材９１４ａ，９１４ｂと上下を逆にした以外は同様の構成である。加熱発泡材９１６ａ，９１６ｂは、見込方向に間隔あけて吊元側縦框３３の中空部３３ｂの室内側及び室外側の内壁のそれぞれに接着固定されており、加熱発泡材９１７ａ，９１７ｂも下框３２の中空部の室内側及び室外側の内壁のそれぞれに接着固定される。加熱発泡材９１６ａ，９１６は、見込方向視で縦框芯材３３０の端面と接合面３００ｄの間に位置し、加熱発泡材９１７ａ，９１７ｂは、見込方向視で下框芯材３２０の端面と接合面３００ｄの間に位置する。加熱発泡材９１６ａ，９１６ｂの斜辺９８１と加熱発泡材９１７ａ，９１７ｂの斜辺９８５は、接合面３００ｄを挟んで対向している。そして、加熱発泡材９１６ａ，９１６ｂの上端面９８２は縦框芯材３３０の下端面に接触又は近接しており、加熱発泡材９１７ａ，９１７ｂの戸先側の端面９８６は下框芯材３２０の吊元側の端面に接触又は隣接している。
【００９３】
以上説明した上記実施形態の構成によれば、以下のような効果を奏する。
建具１は、障子２０の外縁を構成し、樹脂製で中空部３１ｂを有するとともに端面が傾斜する上框３１と、樹脂製で中空部３２ｂを有するとともに端面が傾斜する下框３２と、障子２０の外縁を構成し、樹脂製で中空部３３ｂ，３４ｂを有し、上框３１及び下框３２の端面に対応して傾斜する端面が前記横框の端面に突き合わされて接合される吊元側縦框３３及び戸先側縦框３４と、を備える。
また、建具１は、上框３１の長手方向に沿って中空部３１ｂ内に配置され、接合面３００ａ及び接合面３００ｂには達しない長さの上框芯材３１０と、下框３２の長手方向に沿って中空部３２ｂ内に配置され、接合面３００ｃ及び接合面３００ｄには達しない長さの下框芯材３２０と、吊元側縦框３３の長手方向に沿って中空部３３ｂ内に配置され、接合面３００ｂ及び接合面３００ｄには達しない長さの縦框芯材３３０と、戸先側縦框３４の長手方向に沿って中空部３４ｂ内に配置され、接合面３００ａ及び接合面３００ｃには達しない長さの縦框芯材３４０と、を備える。
そして、建具１は、上框３１と戸先側縦框３４によって構成されるコーナーの枠体１０と対向する側に配置されるコーナー加熱発泡材９２と、上框３１と吊元側縦框３３によって構成されるコーナーの枠体１０と対向する側に配置されるコーナー加熱発泡材９３と、を備え、コーナー加熱発泡材９２は、接合面３００ａから上框３１の見込面に沿って延びる上側発泡部９２ａと、接合面３００ａから戸先側縦框３４の見込面に沿って延びる戸先側発泡部９２ｂを有し、コーナー加熱発泡材９３は、接合面３００ｂから上框３１の見込面に沿って延びる上側発泡部９３ａと、接合面３００ｂから吊元側縦框３３の見込面に沿って延びる吊元側発泡部９３ｂと、を有する。
【００９４】
これにより、火災発生時に溶融によって接合面３００ａ，３００ｂからコーナー部分が崩れたとしても接合面３００ａ，３００ｂを起点に配置されるコーナー加熱発泡材９２，９３の発泡によって枠体１０との間の隙間を効果的に埋めることができる。また、通常の使用時は、コーナー加熱発泡材９２，９３は、使用者からは死角に位置するので、コーナー加熱発泡材９２，９３が意匠性を損なうこともない。
【００９５】
また、本実施形態では、コーナー加熱発泡材９２は、上側発泡部９２ａと戸先側発泡部９２ｂが連続する一体的な部材であり、接合面３００ａを跨って配置されており、コーナー加熱発泡材９３は、上側発泡部９３ａと吊元側発泡部９３ｂが連続する一体的な部材であり、接合面３００ｂを跨って配置される。
これにより、接合面３００ａ，３００ｂを跨るコーナー加熱発泡材９２，９３によって接合面３００ａ，３００ｂの延長線状を含めて枠体１０と框体３０の隙間をより一層確実に埋めることができる。
【００９６】
また、本実施形態では、上側発泡部９２ａ，９３ａには締結部材としてのネジ９２０，９３０が縦方向で上框３１に締結され、該ネジ９２０，９３０の先端が上框３１の中空部３１ｂにおける接合面３００ａ，３００ｂと上框芯材３１０の端面の間にそれぞれ位置する。また、戸先側発泡部９２ｂ及び吊元側発泡部９３ｂには締結部材としてのネジ９２１，９３１が横方向で吊元側縦框３３及び戸先側縦框３４に締結され、ネジ９２１の先端が戸先側縦框３４の中空部３４ｂにおける接合面３００ａと縦框芯材３４０の端面の間に位置するとともに、ネジ９３１の先端が吊元側縦框３３の中空部３３ｂにおける接合面３００ｂと縦框芯材３３０の端面の間に位置する。
これにより、接着材や両面テープを用いる場合に比べ、コーナーの上框芯材３１０、縦框芯材３３０，３４０がない空間を利用して締結されるネジ９２０，９２１及びネジ９３０，９３１により、コーナー加熱発泡材９２，９３を機械固定できる。ネジ９２０，９２１及びネジ９３０，９３１の先端を上框芯材３１０、縦框芯材３３０，３４０に干渉させずにコーナー加熱発泡材９２，９３を強固に固定できる構成が実現されるのである。
【００９７】
また、本実施形態では、上框３１の外側の見込面には、該上框３１の長手方向に延びる嵌合溝３１ｊが形成されており、吊元側縦框３３の外側の見込面には、該吊元側縦框３３の長手方向に延びる嵌合溝３３ｊが形成されており、戸先側縦框３４の外側の見込面には、戸先側縦框３４の長手方向に延びる嵌合溝３４ｊが形成されている。そして、上框３１の嵌合溝３１ｊは、一側が吊元側縦框３３の嵌合溝３３ｊに連通するとともに他側が戸先側縦框３４の嵌合溝３４ｊに連通する。コーナー加熱発泡材９２の上側発泡部９２ａは上框３１の嵌合溝３１ｊに固定され、戸先側発泡部９２ｂは戸先側縦框３４の嵌合溝３４ｊに固定される。同様に、コーナー加熱発泡材９３の上側発泡部９３ａは上框３１の嵌合溝３１ｊに固定され、吊元側発泡部９３ｂは吊元側縦框３３の嵌合溝３３ｊに固定される。
これにより、コーナー加熱発泡材９２，９３が框体３０の見込面よりも内側に納まるので、障子２０の開閉動作によってコーナー加熱発泡材９２，９３が枠体１０等に接触して外れるおそれもなく、外部からもより視認しにくくなる。
【００９８】
また、以上説明した上記実施形態の構成によれば、以下のような効果も奏する。
建具１は、上框３１の中空部３１ｂに配置される加熱発泡材９１１ａ，９１１ｂ及び加熱発泡材９１３ａ，９１３ｂと、戸先側縦框３４の中空部３４ｂに配置される加熱発泡材９１２ａ，９１２ｂと、吊元側縦框３３の中空部３３ｂに配置される加熱発泡材９１４ａ，９１４ｂ及び加熱発泡材９１６ａ，９１６ｂと、下框３２の中空部３２ｂに配置される加熱発泡材９１５ａ，９１５ｂ及び加熱発泡材９１７ａ，９１７ｂと、を更に備える。加熱発泡材９１１ａ〜９１７ａ及び加熱発泡材９１１ｂ〜９１７ｂは、いずれも各芯材（上框芯材３１０、下框芯材３２０、縦框芯材３３０、縦框芯材３４０）の端面と接合面３００ａ〜３００ｄの間に位置し、中空部３１ｂ〜３４ｂ内部で見込方向を向く面を有する。
【００９９】
これにより、火災発生時の溶融によって接合面３００ａ〜３００ｄが崩れ見込方向に貫通する事態の発生を框（上框３１、下框３２、吊元側縦框３３及び戸先側縦框３４）の内部で接合面３００ａ〜３００ｄと各芯材の間に配置される加熱発泡材９１１ａ〜９１７ａ及び加熱発泡材９１１ｂ〜９１７ｂによって効果的に防止することができる。
【０１００】
また、本実施形態では、加熱発泡材９１１ａ〜９１７ａ及び加熱発泡材９１１ｂ〜９１７ｂは、見込方向視で接合面３００ａ〜３００ｄに沿う部分として斜辺９５１，９５５，９６１，９６５，９７１，９８１，９８５をそれぞれ有する。
これにより、接合面３００ａ〜３００ｄを確実にカバーして火災発生時のコーナー部分の室内外の貫通をより確実に防止することができる。
【０１０１】
また、本実施形態では、加熱発泡材９１１ａ〜９１４ａ，９１５ａ，９１６ａ及び加熱発泡材９１１ｂ〜９１４ｂ，９１５ｂ，９１６ｂは、接合面３００ａ，接合面３００ｂ及び接合面３００ｄを挟んで対向する位置関係にある。
これにより、接合面３００ａ，接合面３００ｂ及び接合面３００ｄを挟んだ両側で発泡することになるので、接合面３００ａ，接合面３００ｂ及び接合面３００ｄ近傍において火災発生時に室内外が貫通する事態の発生をより確実に防止することができる。
【０１０２】
また、本実施形態では、加熱発泡材９１１ａ〜９１７ａ及び加熱発泡材９１１ｂ〜９１７ｂは、中空部３１ｂ〜３４ｂで見込方向に対向するように室外側及び室内側のそれぞれに配置される。
これにより、室外側に火炎源がある場合及び室内側に火炎源がある場合の両方に対応できる。
【０１０３】
また、本実施形態では、加熱発泡材９１１ａ〜９１７ａ及び加熱発泡材９１１ｂ〜９１７ｂは、見込方向視で接合面３００ａ〜３００ｄに沿う辺（斜辺９５１，９５５，９６１，９６５，９７１，９８１，９８５）と芯材（上框芯材３１０、下框芯材３２０、縦框芯材３３０，３４０）の端面に接触又は隣接する辺（吊元側の端面９５２，下端面９５６，戸先側の端面９６２，下端面９６６，吊元側の端面９７２，上端面９８２，戸先側の端面９８６）とを有する略三角形状である。
これにより、芯材のないコーナー部分を加熱発泡材９１１ａ〜９１７ａ及び加熱発泡材９１１ｂ〜９１７ｂによって広範囲にカバーすることができ、より一層確実に火災発生時の室内外の貫通の発生を防止することができる。
【０１０４】
また、本実施形態では、接合面３００ａ〜３００ｄの外側もコーナー加熱発泡材９２，９３が配置されるとともに、内側には加熱発泡材９１１ａ〜９１７ａ及び加熱発泡材９１１ｂ〜９１７ｂが配置されているので、火災発生時の溶融による接合面３００ａ〜３００ｄを含むコーナーの変形による隙間及び貫通の発生を確実に防止できる構成が実現されている。
【０１０５】
上記実施形態では、コーナー加熱発泡材９２が戸先側上部に配置されるとともに吊元側上部にコーナー加熱発泡材９３が吊元側上部に配置される構成であるが、この構成に限定されない。例えば、戸先側下部及び吊元側下部のそれぞれに同様のコーナー加熱発泡材を配置する構成としてもよい。
【０１０６】
上記実施形態では、ネジ９２０，９２１，９３０，９３０によってコーナー加熱発泡材９２，９３を上框３１、吊元側縦框３３及び戸先側縦框３４に締結固定しているが、この構成に限定されない。タッカー等の工具を用いて金属片によって機械固定を行う構成としてもよい。また、場合によっては接着材や両面テープを用いて接着固定する構成としてもよい。
【０１０７】
上記実施形態では、加熱発泡材９１１ａ〜９１７ａ及び加熱発泡材９１１ｂ〜９１７ｂの全て三角形状のものが用いられているが、この構成に限定されない。例えば、帯状の加熱発泡材を見込方向視で接合面３００ａ，３００ｂ，３００ｃ，３００ｄに沿って配置する構成としてもよい。また、加熱発泡材９１１ａ〜９１７ａと加熱発泡材９１１ｂ〜９１７ｂは、見込方向で対向する関係にあるが、中空部３１ｂ，３２ｂ，３３ｂ，３４ｂの室外側の内壁又は室内側の内壁の何れかの内壁のみに接合面３００ａ，３００ｂ，３００ｃ，３００ｄに沿う加熱発泡材を配置することもできる。
【０１０８】
以上、本発明の好ましい実施形態について説明したが、本発明は、上述の実施形態及び変形例に制限されるものではなく、適宜変更が可能である。例えば、上記実施形態の枠体１０及び框体３０は、何れも樹脂製であるが、枠体１０及び框体３０の見込方向室外側及び室内側の少なくとも何れか一方に、アルミ等の金属製のカバー部材を追加的に配置する構成としてもよい。即ち、樹脂製の枠及び樹脂製の框は、その内部、室内側又は室外側に金属部材を取り付けたものであってもよい。
【０１０９】
また、上記実施形態では、勝手口ドアを本発明の建具の一例として説明したがこの構成に限定されるわけではなく、スイング式の開閉ドアや開閉窓等、障子を開閉する構成を備える種々の建具に本発明を適用することができる。
【符号の説明】
【０１１０】
１  建具
１０  枠体
２０  障子
３１  上框（横框）
３２  下框（横框）
３３  吊元側縦框（縦框）
３４  戸先側縦框（縦框）
３１ｂ〜３４ｂ  中空部
３１ｊ〜３４ｊ  嵌合溝
９２  コーナー加熱発泡材
９２ａ  上側発泡部（横側発泡部）
９２ｂ  戸先側発泡部（縦側発泡部）
９３  コーナー加熱発泡材
９３ａ  上側発泡部（横側発泡部）
９３ｂ  吊元側発泡部（縦側発泡部）
３００ａ，３００ｂ，３００ｃ，３００ｄ  接合面
３１０  上框芯材（横框芯材）
３２０  下框芯材（横框芯材）
３３０  縦框芯材（縦框芯材）
３４０  縦框芯材（縦框芯材）
９１１ａ〜９１７ａ  加熱発泡材
９１１ｂ〜９１７ｂ  加熱発泡材
９２０，９３０  ネジ（締結部材）
９２１，９３１  ネジ（締結部材）
９５１，９５５，９６１，９６５，９７１，９８１，９８５  斜辺
９５２  吊元側の端面
９５６  下端面
９６２  戸先側の端面
９６６  下端面
９７２  吊元側の端面
９８２  上端面
９８６  戸先側の端面
【図１】
2019085835.tif 000003
【図２】
2019085835.tif 000004
【図３】
2019085835.tif 000005
【図４】
2019085835.tif 000006
【図５】
2019085835.tif 000007
【図６】
2019085835.tif 000008
【図７】
2019085835.tif 000009
【図８】
2019085835.tif 000010
【図９】
2019085835.tif 000011
【図１０】
2019085835.tif 000012
【図１１】
2019085835.tif 000013